(57)【要約】【課題】別々のクライアントからの処理要求に応じて画像処理装置でバックアップ／レストアの処理を並行して行うと、適切に文書データを構築できない恐れがある。【解決手段】画像処理装置の構成として、バックアップ／レストアの処理を許可するクライアント情報を登録するクライアント登録部１８と、ネットワーク上のクライアントから送信されたバックアップ／レストアの処理要求を受信するネットワーク通信部１７と、このネットワーク通信部１７で受信した処理要求に含まれるクライアント情報とクライアント登録部１８によって登録されたクライアント情報とを照合し、この照合結果に基づいてバックアップ／レストアのためのアクセスを許可するアクセス制御部１９と、このアクセス制御部１９でアクセスを許可した場合に、処理要求にしたがってバックアップ／レストアの処理を実行するＢ／Ｒ実行部２０とを備える。【選択図】図２
2006186700.tif 000002
【特許請求の範囲】
【請求項１】
バックアップ／レストアの処理を許可するクライアント情報を登録する登録手段と、
ネットワーク上のクライアントから送信されたバックアップ／レストアの処理要求を受信する受信手段と、
前記受信手段で受信した前記処理要求に含まれるクライアント情報と前記登録手段によって登録されたクライアント情報とを照合し、この照合結果に基づいてバックアップ／レストアのためのアクセスを許可するアクセス制御手段と、
前記アクセス制御手段で前記アクセスを許可した場合に、前記処理要求にしたがってバックアップ／レストアの処理を実行する実行手段と
を備えることを特徴とする画像処理装置。
【請求項２】
前記アクセス制御手段は、前記アクセスを許可したときに、アクセス許可の対象となった処理要求以外の処理要求を拒否するロックモードに移行する
ことを特徴とする請求項１記載の画像処理装置。
【請求項３】
前記アクセス制御部は、自装置が処理中でない場合に前記アクセスを許可する
ことを特徴とする請求項１記載の画像処理装置。
【請求項４】
前記クライアント情報は、前記処理要求を送信したクライアントのＩＰアドレスを含む
ことを特徴とする請求項１記載の画像処理装置。
【請求項５】
前記アクセス制御手段は、前記ロックモードに移行してからの経過時間が所定の時間に達したときに、前記ロックモードを解除する
ことを特徴とする請求項２記載の画像処理装置。
【請求項６】
前記ロックモードに移行してから当該ロックモードを解除するまでの間、ビジー状態である旨を表示又は送信する
ことを特徴とする請求項５記載の画像処理装置。
【請求項７】
前記表示又は送信の内容に、前記実行手段で実行中の処理要求を送信したクライアント情報を含める
ことを特徴とする請求項６記載の画像処理装置。
【請求項８】
バックアップ／レストアの処理を許可するクライアント情報を登録するステップと、
ネットワーク上のクライアントから送信されたバックアップ／レストアの処理要求を受信するステップと、
前記受信した前記処理要求に含まれるクライアント情報と前記登録されたクライアント情報とを照合し、この照合結果に基づいてバックアップ／レストアのためのアクセスを許可するステップと、
前記アクセスを許可した場合に、前記処理要求にしたがってバックアップ／レストアの処理を実行するステップと
を有することを特徴とする画像処理方法。
【請求項９】
画像処理装置とクライアントとをネットワークにより接続してなる画像処理システムであって、
前記画像処理装置は、バックアップ／レストアの処理を許可するクライアント情報を登録する登録手段と、前記ネットワーク上のクライアントから送信されたバックアップ／レストアの処理要求を受信する受信手段と、前記受信手段で受信した前記処理要求に含まれるクライアント情報と前記登録手段によって登録されたクライアント情報とを照合し、この照合結果に基づいてバックアップ／レストアのためのアクセスを許可するアクセス制御手段と、前記アクセス制御手段で前記アクセスを許可した場合に、前記処理要求にしたがってバックアップ／レストアの処理を実行する実行手段とを備える
ことを特徴とする画像処理システム。
【発明の詳細な説明】
【技術分野】
【０００１】
本発明は、デジタル複写機やデジタル複合機(Multi Function Printer)などの画像処理装置とこれを用いた画像処理システム、及び画像処理方法に関する。
【背景技術】
【０００２】
デジタル複写機等の画像処理装置には、１ページ又は複数ページ分の画像データを１つの文書データとしてハードディスク等の記憶装置に蓄積しておき、その後、ユーザからの指示に応じて記憶装置から文書データを読み出して印刷する機能を備えたものがある（例えば、特許文献１参照）。この種の画像処理装置では、原稿の画像を読み取って得られる画像データ（スキャンデータ）や、パーソナルコンピュータ等で作成された画像データを文書データとして保存し、必要に応じて印刷することができる。
【０００３】
また、ネットワーク対応型の画像処理装置では、ネットワーク上のクライアントから種々の処理要求を受けることになるため、記憶装置に蓄積された文書データを管理するうえでは装置の異常によるデータの破損や、ユーザの誤操作によるデータの削除などに備えて文書データのバックアップをとり、必要に応じて文書データをレストアできる「バックアップ／レストア」の機能を実現することが望ましい。
【０００４】
【特許文献１】特開２００１−１３６３２８号公報
【発明の開示】
【発明が解決しようとする課題】
【０００５】
しかしながら、実際に画像処理装置でバックアップ／レストアの処理を行うにあたっては、次のような不具合を招く恐れがあった。すなわち、ネットワーク上に存在する複数のクライアントのうち、第１のクライアントからのリモート操作にしたがって文書データをバックアップする処理と、その文書データを第２のクライアントからのリモート操作にしたがってレストアする処理とが重なった場合に、適切に文書データを構築できないなどの問題を招く恐れがあった。
【０００６】
また、クライアントからのリモート操作にしたがって文書データをバックアップしている最中に、画像処理装置本体の操作パネルをユーザが操作し、このユーザからの指示にしたがって削除した文書データがバックアップ中の文書データであった場合は、バックアップの処理に失敗するだけでなく、バックアップしようとした文書データを復元できなくなる不具合があった。
【課題を解決するための手段】
【０００７】
本発明に係る画像処理装置は、バックアップ／レストアの処理を許可するクライアント情報を登録する登録手段と、ネットワーク上のクライアントから送信されたバックアップ／レストアの処理要求を受信する受信手段と、この受信手段で受信した処理要求に含まれるクライアント情報と登録手段によって登録されたクライアント情報とを照合し、この照合結果に基づいてバックアップ／レストアのためのアクセスを許可するアクセス制御手段と、このアクセス制御手段でアクセスを許可した場合に、処理要求にしたがってバックアップ／レストアの処理を実行する実行手段とを備えるものである。
【０００８】
本発明に係る画像処理装置においては、バックアップ／レストアの処理を許可するクライアント情報を予め登録しておくことにより、実際にクライアントから送信されたバックアップ／レストアの処理要求を受信したときに、その処理要求に含まれるクライアント情報と事前に登録されたクライアント情報との照合結果に基づいてバックアップ／レストアのためのアクセスが許可される。
【発明の効果】
【０００９】
本発明によれば、画像処理装置との間でバックアップ／レストアの処理を実行可能なクライアントを１つに制限することができるため、別々のクライアントからの処理要求に基づくバックアップ／レストアの処理が並行して行われることを確実に防止することができる。その結果、画像処理装置とクライアントとの間で、バックアップ／レストアの処理対象となる文書データを適切に構築することができる。
【発明を実施するための最良の形態】
【００１０】
以下、本発明の具体的な実施の形態について図面を参照しつつ詳細に説明する。
【００１１】
図１は本発明の実施形態に係る画像処理システムの構成を示す図である。画像処理装置１は、例えばネットワーク通信機能を備えるデジタル複写機やデジタル複合機によって構成されるものである。画像処理装置１は、２台のクライアント２，３とともにネットワーク４に接続されている。各々のクライアント２，３は、ネットワーク通信機能を備える情報端末（例えば、パーソナルコンピュータ等）によって構成されるものである。また、ネットワーク４は、例えばＬＡＮ(Local Area Network)やＷＡＮ(Wide Area Network)、インターネット等によって構成されるものである。画像処理装置１と各クライアント２，３は、ネットワーク４を介して双方向（相互）に通信可能に接続されている。
【００１２】
図２は本発明の実施形態に係る画像処理装置の構成を示すブロック図である。上記画像処理装置１は、制御部１１と、操作パネル１２と、文書入力部１３と、ハードディスク１４と、画像処理部１５と、印刷部１６と、ネットワーク通信部１７と、クライアント登録部１８と、アクセス制御部１９と、バックアップ／レストア実行部（以下、「Ｂ／Ｒ実行部」と記す）２０とを備えた構成となっている。
【００１３】
制御部１１は、画像処理装置１全体の処理動作を統括的に制御するものである。制御部１１は、例えば、制御プログラムを格納するＲＯＭ(Read-Only Memory)と、ＲＡＭ(Random Access Memory)と、ＲＯＭに格納された制御プログラムをＲＡＭに読み出して実行するＣＰＵ(Central Processing Unit)とによって構成されるものである。
【００１４】
操作パネル１２は、画像処理装置を使用するユーザが各種の情報を入力したり、ユーザに対して各種の情報を表示したりする、いわゆるユーザインタフェースとなるものである。操作パネル１２は、例えば、各種のボタン、スイッチ、キー等を用いた入力部と、タッチパネル付きの液晶ディスプレイからなる表示部とによって構成されるものである。
【００１５】
文書入力部１３は、文書データを入力するもので、さらに詳しくは１ページ又は複数ページ分の画像データを１つの文書データとして入力するものである。文書入力部１３によって入力される文書データとしては、イメージスキャナ等の画像読取装置で原稿の画像を読み取って得られる画像データを含む文書データや、パーソナルコンピュータ等の情報端末で作成された画像データを含む文書データなどが考えられる。
【００１６】
ハードディスク１４は、画像処理装置１で取り扱う種々のデータを記憶するために用いられるものである。文書入力部１３によって入力された文書データは、このハードディスク１４に蓄積（保存）される。
【００１７】
画像処理部１５は、文書入力部１３から入力された文書データを構成する画像データやハードディスク１４から読み出された文書データを構成する画像データに対して、所定の画像処理（例えば、色変換、色補正、階調補正、拡大縮小、画像回転、スクリーン生成などの処理）を施すものである。印刷部１６は、文書入力部１３から入力された文書データやハードディスク１４から読み出された文書データを用紙に印刷出力するものである。
【００１８】
ネットワーク通信部１７は、ネットワーク４を介して各クライアント２，３との間でデータの送受信を行うものである。クライアント登録部１８は、バックアップ／レジストの処理を許可するクライアント情報を登録する処理を行うものである。「バックアップ／レストア」という用語は、バックアップとレストアの両方を含む用語であり、意味的には「バックアップ又はレストア」の意味をもつ用語である。
【００１９】
本発明の実施形態に係る画像処理システムでは、ネットワーク４上に存在するクライアント２，３からのリモート操作にしたがって画像処理装置１でバックアップ／レストアの処理が行われる。また、ネットワーク４上においては、クライアント２，３から画像処理装置１に対してバックアップ／レストアの処理要求が、例えばメッセージやコマンドのデータ形式で送信され、その処理要求に基づいて画像処理装置１がバックアップ／レストアの処理を実行することにより、画像処理装置１に記憶された文書データがクライアント２，３にバックアップされたり、クライアント２，３にバックアップ（記憶）された文書データが画像処理装置１にレストアされたりする。
【００２０】
また、クライアント情報とは、１台のクライアントに関する情報（クライアント単位の情報）であって、そのクライアントと１：１で対応するものである。したがって、ネットワーク４上に存在するクライアント２，３ごとに、個別のクライアント情報が存在することになる。クライアント情報は、例えばクライアント識別情報とユーザ認証情報によって構成される。クライアント識別情報は、ネットワーク４上に存在するクライアントを識別するための情報である。クライアント識別情報としては、例えばＩＰアドレスやＭＡＣアドレスなどが用いられる。ユーザ認証情報は、バックアップ／レストアの処理機能を正当に使用できるユーザであるかどうかを確認するための情報である。ユーザ認証情報としては、例えばユーザＩＤやパスワードなどが用いられる。本実施形態では、クライアント識別情報としてＩＰアドレスを用い、ユーザ認証情報としてユーザＩＤを用いるものとする。こうしたクライアント情報は、上述したバックアップ／レストアの処理要求に含めて、クライアント２，３から画像処理装置１に送信される。
【００２１】
クライアント登録部１８では、例えば、クライアント情報の登録数を１個に制限することにより、バックアップ／レストアの処理を許可する対象として、単一クライアントのクライアント情報だけを登録可能となっている。ただし、クライアント情報の登録数は必ずしも１個に制限する必要はない。例えば、複数のクライアント情報を登録可能とした場合は、その中からバックアップ／レストアの処理を許可する対象として、１つのクライアント情報だけを選択し得る構成としてもよい。具体的には、登録番号で１番から１０番までのクライアント情報が登録されていた場合は、その中からバックアップ／レストアの処理を許可するクライアントの登録番号を１個だけ選択可能な構成とすればよい。
【００２２】
アクセス制御部１９は、ネットワーク４上のクライアント２，３や他の通信装置（不図示）から種々の処理要求を受けたときに、その処理要求を行ったクライアント２，３や他の通信装置に対して自装置へのアクセスを許可したり拒否したりするものである。また、アクセス制御部１９は、ネットワーク４上のクライアント（２，３）からバックアップ／レストアの処理要求を受けたときに、その処理要求を行ったクライアントに対して、予めクライアント登録部１８によって登録されたクライアント情報を用いて、バックアップ／レストアのためのアクセスを許可したり拒否したりするものである。
【００２３】
Ｂ／Ｒ実行部２０は、バックアップ／レストアの処理を実行するものである。Ｂ／Ｒ実行部２０において、バックアップの処理を実行する場合は、クライアントからのバックアップ／レストアの処理要求で指定されたバックアップ対象の文書データをハードディスク１４から読み出してネットワーク通信部１７から要求元のクライアントに転送する。また、レストアの処理を実行する場合は、クライアントからのバックアップ／レストアの処理要求で転送されたレストア対象の文書データを、当該処理要求で指定されたハードディスク１４の所定のメモリ領域に書き込んで登録する。
【００２４】
図３はクライアント登録部１８によって実行されるクライアント情報の登録処理を示すフローチャートである。この登録処理は、例えば操作パネル１２のメニュー画面に設けられた登録ボタンをユーザが押下したときに開始される。まず、操作パネル１２の表示部にＩＰアドレスの入力画面を表示して、ユーザによるＩＰアドレスの入力を受け付ける（ステップＳ１）。ＩＰアドレスの入力画面には、例えば、ＩＰアドレスの入力を促すメッセージと、ユーザの入力操作（キー操作等）によって入力されたＩＰアドレスを表示する入力ボックスと、入力されたＩＰアドレスを確定する確定ボタンなどが表示される。次いで、上記確定ボタンが押されたかどうかを判断し（ステップＳ２）、確定ボタンが押されたら、その時点で入力ボックスに表示されているＩＰアドレスを登録用のＩＰアドレスとして取得する（ステップＳ３）。
【００２５】
次に、操作パネル１２の表示部にユーザＩＤの入力画面を表示して、ユーザによるユーザＩＤの入力を受け付ける（ステップＳ４）。ユーザＩＤの入力画面には、上記ＩＰアドレスの場合と同様に、例えば、ユーザＩＤの入力を促すメッセージと、ユーザの入力操作（キー操作等）によって入力されたユーザＩＤを表示する入力ボックスと、入力されたユーザＩＤを確定する確定ボタンなどが表示される。次いで、上記確定ボタンが押されたかどうかを判断し（ステップＳ５）、確定ボタンが押されたら、その時点で入力ボックスに表示されているユーザＩＤを登録用のユーザＩＤとして取得する（ステップＳ６）。
【００２６】
こうしてＩＰアドレスとユーザＩＤを順に取得したら、それらのデータをクライアント情報として登録する（ステップＳ７）。クライアント情報の登録は、上述のように取得したＩＰアドレスとユーザＩＤとを互いに対応付けてハードディスク１４に記憶することにより行われる。なお、ユーザＩＤの入力はＩＤカードの挿入によって行うようにしてもよい。また、ＩＰアドレスを取得する前にユーザＩＤを取得してもよいし、ＩＰアドレスとユーザＩＤを１つ（共通）の入力画面で入力して、それらのデータを同時に取得してもよい。
【００２７】
図４はネットワーク上でクライアントから画像処理装置にバックアップ／レストアの処理要求が送信された場合に、画像処理装置で行われる処理手順を示すフローチャートである。ここでは、バックアップ／レストアの処理要求がクライアント２から送信されたものとする。まず、画像処理装置１では、クライアント２から送信されたバックアップ／レストアの処理要求をネットワーク通信部１７で受信する（ステップＳ１１）。次に、先に受信したバックアップ／レストアの処理要求の中から、アクセス制御部１９がクライアント情報を抽出する（ステップＳ１２）。
【００２８】
ここでは、クライアント情報として、クライアント識別情報であるＩＰアドレスと、ユーザ認証情報であるユーザＩＤとを抽出する。特に、クライアント情報にＩＰアドレスを含めることにより、例えばクライアント２と画像処理装置１との間にプロキシサーバを介して処理要求を送受信する場合でも、処理要求を受信した画像処理装置１側では、クライアント情報に含まれるＩＰアドレスを参照することで要求元のクライアント２を正確に特定することができる。
【００２９】
次いで、アクセス制御部１９は、ステップＳ１２で抽出したＩＰアドレスと、予めクライアント登録部１８によって登録されたＩＰアドレスとを照合することにより、双方のＩＰアドレスが一致するかどうかを判断する（ステップＳ１３）。次に、アクセス制御部１９は、ステップＳ１２で抽出したユーザＩＤと、予めクライアント登録部１８によって登録されたユーザＩＤとを照合することにより、双方のユーザＩＤが一致するかどうかを判断する（ステップＳ１４）。そして、ステップＳ１３，Ｓ１４において、いずれも一致すると判断（Ｙｅｓと判断）した場合はステップＳ１５に進み、そこで現在の動作状態として自装置が処理中（何らかの処理を行っている最中）でないかどうかを確認する。また、上記ステップＳ１３，Ｓ１４のいずれか一方で不一致と判断（Ｎｏと判断）した場合や、上記ステップＳ１５で自装置が処理中であると判断した場合は、バックアップ／レストアのためのアクセスを不許可とし、クライアント２から送信されたバックアップ／レストアの処理要求に応じられない旨を示す処理エラーを、要求元のクライアント２に対して送信（返信）する（ステップＳ１６）。
【００３０】
また、アクセス制御部１９では、ステップＳ１５で自装置が処理中でないと判断した場合は、処理要求を行った要求元のクライアント２に対してバックアップ／レストアのためのアクセスを許可するために、アクセス制御のモードをロックモードに移行した後（ステップＳ１７）、タイマによる時間の計測をスタートさせる（ステップＳ１８）。タイマの計測時間は、アクセス制御のモードをロックモードに移行してからの経過時間を示すものとなる。また、ロックモードは、アクセス許可の対象となった処理要求（ステップＳ１１で受信した処理要求）の要求元となったクライアント２に対してのみアクセスの許可を与え、当該処理要求以外の処理要求（例えば、操作パネル１２から指示される処理要求や他のクライアント３からの処理要求など）を全て拒否するモードである。
【００３１】
こうしてアクセス制御部１９によりクライアント２にアクセス許可が与えられると、Ｂ／Ｒ実行部２０は、クライアント２からの処理要求にしたがってバックアップ／レストアの処理を実行（開始）する（ステップＳ１９）。すなわち、クライアント２からのバックアップ／レストアの処理要求が、バックアップ処理の実行を要求するものであれば、この処理要求にしたがってハードディスク１４内の文書データをクライアント２に転送する。また、クライアント２からのバックアップ／レストアの処理要求が、レストア処理の実行を要求するものであれば、この処理要求にしたがって、クライアント２から転送された文書データをハードディスク１４に書き込んで登録（復元）する。したがって、Ｂ／Ｒ実行部２０でバックアップ／レストアの処理を実行中は、画像処理装置１とクライアント２との間で適宜データの送受信が行われる。
【００３２】
このようにＢ／Ｒ実行部２０で処理を実行すると、アクセス制御部１９は、Ｂ／Ｒ実行部２０での処理が終了したかどうかを確認し（ステップＳ２０）、処理が終了していなければ、先のステップＳ１８でスタートさせたタイマの計測時間が所定の時間に達したかどうかを確認する（ステップＳ２１）。そして、タイマの計測時間が所定の時間に達する前にＢ／Ｒ実行部２０での処理が終了した場合は、クライアント２から送信されたバックアップ／レストアの処理要求に対して画像処理装置１側での処理を正常に終えた旨を示す処理結果を、要求元のクライアント２に対してネットワーク通信部１７から送信（返信）した後（ステップＳ２２）、ロックモードを解除する（ステップＳ２３）。ロックモードを解除すると、操作パネル１２から指示される処理要求や他のクライアント３からの処理要求に対して、無条件にアクセス許可を与えるモード（通常のモード）となる。また、Ｂ／Ｒ実行部２０での処理が終了する前にタイマの計測時間が所定の時間に達した場合は、ステップＳ２２をパスしてステップＳ２３に進み、そこでロックモードを解除する。
【００３３】
このように本実施形態に係る画像処理装置１おいては、バックアップ／レストアの処理を許可するクライアント情報を予め登録しておき、実際にクライアント２から送信されたバックアップ／レストアの処理要求を受信したときに、その処理要求に含まれるクライアント情報と登録済みのクライアント情報を照合し、この照合結果に基づいてバックアップ／レストアのためのアクセスを許可する構成となっているため、画像処理装置１との間でバックアップ／レストアの処理を実行可能なクライアントを１つに制限することができる。これにより、画像処理装置１においては、別々のクライアントからの処理要求に基づくバックアップ／レストアの処理が並行して行われることがなくなる。そのため、バックアップ／レストアの対象となる文書データを適切に構築することができる。
【００３４】
また、処理要求の要求元となったクライアント２に対してアクセスを許可した場合に、アクセス制御のモードをロックモードに移行し、これによってアクセス許可の対象となった処理要求以外の処理要求を拒否するようにしたので、クライアント２からの処理要求にしたがってバックアップ処理を行っている文書データが、操作パネル１２でのユーザ操作や他のクライアント３からのリモート操作によって削除されることはない。したがって、クライアント２からの処理要求にしたがってバックアップの処理を常に適切に終了させることができる。
【００３５】
また、クライアント２からの処理要求に含まれるクライアント情報と登録済みのクライアント情報を照合したときに双方の情報が一致したとしても、自装置が処理中であればアクセス許可を与えず、自装置が処理中でない場合に限りアクセス許可を与えるようにしたので、クライアント２からの処理要求を受信する前に実行している処理と並行してバックアップ／レストアの処理が行われることがない。したがって、上記同様にバックアップ／レストアの対象となる文書データを適切に構築することができる。
【００３６】
また、アクセス制御のモードをロックモードに移行してからの経過時間をタイマで計測し、そのタイマー計測時間が所定の時間に到達したときに、強制的にロックモードを解除する、いわゆるタイムアウト機能を持たせるようにしたので、クライアント２からの処理要求にしたがってバックアップ／レストアの処理を画像処理装置１で実行している最中に、画像処理装置１とクライアント２との間で通信の障害が発生し、これによって処理の進行が途絶えてしまった場合でも、自動的にロックモードを解除して無駄なマシンの占有を回避することができる。
【００３７】
また、アクセス制御部１９がアクセス制御のモードをステップＳ１７でロックモードに移行してからステップＳ２３でそのロックモードを解除するまでの間、例えば制御部１１からの制御命令にしたがって、画像処理装置１がビジー状態である旨を操作パネル１２の表示部に表示したり、あるいは処理要求を行ったクライアント３に送信したりすることにより、画像処理装置１の操作パネル１２を操作しようとしたユーザやクライアント３から画像処理装置１をリモート操作しようとしたユーザに対して、画像処理装置１の操作が禁止されている旨を通知することができる。
【００３８】
さらに、画像処理装置１がビジー状態である旨を操作パネル１２の表示部に表示したり、処理要求を行ったクライアント３に送信したりする際に、Ｂ／Ｒ実行部２０で実行中の処理要求を送信したクライアント２のクライアント情報として、例えばクライアント識別情報であるＩＰアドレスを、上記表示又は送信の内容に含めることにより、その内容を見たユーザ側では、現在実行中の処理を要求した要求元のクライアントを特定することができる。したがって、緊急に処理する必要がある場合は、そのクライアント先に出向いて割り込みの交渉にあたることができる。ちなみに、ビジー状態とは、現在何らかの処理を実行している最中であるために、他の処理を実行することができない状態をいう。
【図面の簡単な説明】
【００３９】
【図１】本発明の実施形態に係る画像処理システムの構成を示す図である。
【図２】本発明の実施形態に係る画像処理装置の構成を示すブロック図である。
【図３】クライアント情報の登録処理を示すフローチャートである。
【図４】クライアントからバックアップ／レストアの処理要求が送信された際に画像処理装置で行われる処理手順を示すフローチャートである。
【符号の説明】
【００４０】
１…画像処理装置、２，３…クライアント、４…ネットワーク、１７…ネットワーク通信部、１８…クライアント登録部、１９…アクセス制御部、２０…Ｂ／Ｒ実行部（バックアップ／レストア実行部）
【図１】
2006186700.tif 000003
【図２】
2006186700.tif 000004
【図３】
2006186700.tif 000005
【図４】
2006186700.tif 000006